(57)【要約】【課題】物品の載置機能に優れたテーブルを提供する。【解決手段】テーブルは、テーブル本体１と補助装置２とを備えている。補助装置２は、補助プレート９と一対のブラケット１０とから成っており、ブラケット１０は、補助プレート９を上にした状態と、補助プレート９を下にした状態とのいずれの状態でもサイド幕板７に固定できる。従って、補助プレート９を天板３と同じ高さにした補助天板としての使用と、補助プレート９を天板３の下方に配置したサイド棚板としての使用とを選択できる。補助装置２は、机上台として天板上に載せて使用することも可能である。【選択図】図２
2019187971.tif 000002
【特許請求の範囲】
【請求項１】
平面視四角形の天板を左右の脚で支持して成るテーブル本体と、前記左右脚のうちいずれか一方又は両方の外面に取付け可能な補助装置とを有しており、
前記補助装置は、前記脚の外側面に固定されるブラケットと、前記ブラケットに固定された水平姿勢の補助プレートとを有しており、前記補助プレートは、前記天板と同一面を成して補助天板として使用できる高さ位置と、前記天板よりも低い位置にあってサイド棚板として使用できる高さ位置とに取付け可能になっている、
テーブル。
【請求項２】
前記補助装置の補助プレートは、前記ブラケットの上面に配置することによって前記補助天板を構成し、前記ブラケットの下面に配置することによって前記サイド棚板を構成するように設定されている、
請求項１に記載したテーブル。
【請求項３】
前記補助装置のブラケットは、水平長辺部と水平短辺部とこれらが繋がった２本の縦長部とを有して前後に開口したフレーム構造であって、一方の縦長部と２本の水平部とが直角に繋がって、他方の縦長部はその全体又は一部が傾斜しており、このため、前記ブラケットは台形又は略台形になっており、
補助プレートを補助天板と成した状態では、前記ブラケットは、前記水平長辺部を上にして水平短辺部を下にした状態で脚に固定されて、補助プレートをサイド棚板と成した状態では、前記ブラケットは、前記水平長辺部を下にして水平短辺部を上にした状態で脚に固定されるように設定されている、
請求項２に記載したテーブル。
【請求項４】
前記テーブル本体の脚は、前後の脚柱をサイド幕板で連結した構造であり、前記サイド幕板に、前記補助装置のブラケットを固定するための取付け穴が空けられている、
請求項１〜３のうちのいずれかに記載したテーブル。
【請求項５】
前記補助装置のブラケットは、前記補助プレートの一端寄りと他端寄りとの２か所に配置されており、前記一対のブラケットを足として前記天板上に配置することにより、机上台として使用可能になっている、
請求項１〜４のうちのいずれかに記載したテーブル。
【発明の詳細な説明】
【技術分野】
【０００１】
本願発明は、補助装置を備えたテーブルに関するものである。
【背景技術】
【０００２】
テーブルは、天板を脚で支持した基本構造になっており、引出しを付加したり机上棚を付加したりと、機能面の向上の工夫が成されている。その例として特許文献１には、補助部材として、机上に配置して棚として使用できる態様と、脚の外側面に固定して補助天板として使用できる態様とを選択できるプレート（付属品）が開示されている。
【先行技術文献】
【特許文献】
【０００３】
【特許文献１】特許第５３３７００３号公報
【発明の概要】
【発明が解決しようとする課題】
【０００４】
さて、自宅での子供（特に児童）の学習方式に関して、自室にこもっての学習でなく、リビングにテーブルを置いて親の目が届く状態で学習するリビング学習の風潮が広がっており、この場合、子供の成長に合わせてテーブル面を広げたいという要望や、子供が成長して使用しなくなったテーブルを親が使用するに際してテーブル面を広げたい（或いは狭めたい）という要望などがある。この点、特許文献１では、プレートを机上棚として使用したり補助天板として使用したりできるため、ユーザーの要請にかなり応えることができると云える。
【０００５】
他方、補助天板を設けてテーブル面の左右幅を大きくした場合、物品の載置面積は大きくなるが、補助天板に載せた物品に他の物品が当たって落下しやすくなることもある。従って、誰が使用するにしても、補助天板を設けた場合と同じ物品載置面積を確保しつつ、小物を安定的に載置したい（片づけた状態に置きたい）という要望もあり得る。
【０００６】
つまり、テーブルに関しては、誰が使用するにしても、単にテーブル面の面積を広くしたいという要望や狭くしたいという要望のみでなく、小物類をテーブルの周りに整理して置きたいという要望も有り得る。しかし、特許文献１は単に天板の面積を変更できるに過ぎないため、このような要望には応えることができず、従って、テーブルの機能向上という点において、まだ改良の余地があると云える。
【０００７】
本願発明はこのような現状を改善すべく成されたものであり、テーブルの側方の空間を立体的に使用可能とすることにより、テーブルの物品載置・整理機能を向上させること等を目的とするものである。
【課題を解決するための手段】
【０００８】
本願発明のテーブルは様々な構成を含んでおり、その典型を各請求項で特定している。このうち請求項１の発明は上位概念を成すものであり、
「平面視四角形の天板を左右の脚で支持して成るテーブル本体と、前記左右脚のうちいずれか一方又は両方の外面に取付け可能な補助装置とを有しており、
前記補助装置は、前記脚の外側面に固定されるブラケットと、前記ブラケットに固定された水平姿勢の補助プレートとを有しており、前記補助プレートは、前記天板と同一面を成して補助天板として使用できる高さ位置と、前記天板よりも低い位置にあってサイド棚板として使用できる高さ位置とに取付け可能になっている」
という構成になっている。
【０００９】
請求項２の発明は請求項１を具体化したものであり、
「前記補助装置の補助プレートは、前記ブラケットの上面に配置することによって前記補助天板を構成し、前記ブラケットの下面に配置することによって前記サイド棚板を構成するように設定されている」
という構成になっている。
【００１０】
請求項３の発明は、請求項２の好適な展開例であり、この発明では、
「前記補助装置のブラケットは、水平長辺部と水平短辺部とこれらが繋がった２本の縦長部とを有して前後に開口したフレーム構造であって、一方の縦長部と２本の水平部とが直角に繋がって、他方の縦長部はその全体又は一部が傾斜しており、このため、前記ブラケットは台形又は略台形になっており、
補助プレートを補助天板と成した状態では、前記ブラケットは、前記水平長辺部を上にして水平短辺部を下にした状態で脚に固定されて、補助プレートをサイド棚板と成した状態では、前記ブラケットは、前記水平長辺部を下にして水平短辺部を上にした状態で脚に固定されるように設定されている」
という構成になっている。
【００１１】
請求項４の発明は、請求項１〜３のうちのいずれかにおいて、
「前記テーブル本体の脚は、前後の脚柱をサイド幕板で連結した構造であり、前記サイド幕板に、前記補助装置のブラケットを固定するための取付け穴が空けられている」
という構成になっている。
【００１２】
請求項５の発明は、請求項１〜４のうちのいずれかにおいて、
「前記補助装置のブラケットは、前記補助プレートの一端寄りと他端寄りとの２か所に配置されており、前記一対のブラケットを足として前記天板上に配置することにより、机上台として使用可能になっている」
という構成になっている。
【発明の効果】
【００１３】
本願発明では、補助装置の補助プレートは、高さを変えて取付けることにより、補助天板として使用したりサイド棚板として使用したりと、使用態様を変更（選択）できる。すなわち、テーブル本体の側方の空間を立体的に使用して、物品の載置高さ位置を選択することができる。
【００１４】
従って、例えば、書類の載置面をできるだけ広げて見易くしたいというように、単にテーブル面を広く使用したい場合は、補助プレートを天板と同じ高さに配置して補助天板として機能させたらよい一方、例えば、テーブル上の物が当たらないように小物類を置きたい場合や、使用頻度が少なくてテーブル上に常に置いておく必要がない物品を片づけておきたい場合などは、補助プレートをサイド棚板として機能させたらよい。従って、ユーザーフレンドリーである。
【００１５】
補助プレートの高さを変更する手段としては、ブラケットの上面に補助プレートを固定した状態のままで、ブラケットの取付け高さ位置を変えることも可能であるが、請求項２の構成を採用すると、ブラケットの高さを変える必要がないため、脚にブラケットを取付ける構造を簡単化できる利点がある（例えば、ビス穴の数を抑制できる。）。
【００１６】
補助装置のブラケットは板材で構成することも可能ではあるが、この場合は、物品をブラケットに貫通できないため何かと不便であるし、見た目にも重い感じがある。これに対して請求項３のように、ブラケットを前後に開口した枠構造に形成すると、ブラケットに物品を貫通させることができるため、物品の載置機能を向上できる。特に、補助プレートをブラケットの下面に固定してサイド棚板として機能させた場合は、特に好適である。
【００１７】
また、補助装置のブラケットは、単純な正面視四角形に形成することも可能であるが、請求項３のように台形又は略台形に形成すると、外側に位置した縦辺部が補助プレートの下方又は上方に入り込むため、ブラケットに物が当たり易くなることを抑制できる。また、ブラケットを目立たなくできるため、美観の面でも優れている。
【００１８】
特に、請求項５のように、補助プレートを机上台として使用する場合は、請求項３と組み合わせると、傾斜した縦辺部を手前に位置させることにより、ブラケットに物が当たることを抑制できるため、机上での作業性に優れていると共に、見た目もスッキリして美観にも優れている。
【００１９】
テーブル本体の脚は様々な構造を採用できるが、請求項４のように、前後の脚支柱をサイド幕板で連結した構造を採用すると、脚を頑丈な構造にすることができると共に、サイド幕板と天板とを固定することにより、テーブル全体としても頑丈な構造に形成できる。従って、ユーザーが組み立てる方式のテーブルに適用すると、特に好適である。
【００２０】
そして、補助装置のブラケットをテーブル本体の脚支柱に固定する方式では、脚支柱にビス穴を空けると強度が低下するおそれがあるが、請求項３では、補強材としてのサイド幕板にブラケットを固定するものであるため、サイド幕板にビス穴などを設けても、脚としての強度低下が生じることはない。また、補助プレートを脚の外側面に取り付けない場合に、ビス穴が目立つことも抑制できる。
【００２１】
補助装置は、補助天板又はサイド棚板として使用しない場合は、請求項５のように机上台（又は机上棚）として使用することにより、機能を更にアップできる。なお、ブラケットを上向きにしてテーブル面に載置することにより、補助装置を本縦として使用することも可能である。
【図面の簡単な説明】
【００２２】
【図１】実施形態を示す図で、（Ａ）は補助装置を机上台として使用している状態での斜視図、（Ｂ）は補助装置を裏返した状態での斜視図である。
【図２】（Ａ）は部分的な側面図、（Ｂ）は（Ａ）のＢ−Ｂ視断面図、（Ｃ）は補助装置の分離斜視図である。
【図３】補助天板としての仕様例を示す図で、（Ａ）は分離斜視図、（Ｂ）は（Ａ）のＢ−Ｂ視断面図である。
【図４】サイド棚板としての仕様例を示す図で、（Ａ）は分離斜視図、（Ｂ）は（Ａ）のＢ−Ｂ視断面図である。
【発明を実施するための形態】
【００２３】
(1).実施形態の概要
次に、本願発明の実施形態を図面に基づいて発明する。本実施形態のテーブルは木製であり、テーブル本体１と補助装置２とで構成されている。
【００２４】
テーブル本体１は、平面視横長長方形の天板３と、これを支持する左右の脚４とを有している。図示の態様では、天板３の左右幅は１０００ｍｍ程度、前後幅（奥行き）は５４０ｍｍ程度であるが、左右幅は、例えば７００〜１８００ｍｍ程度の範囲で任意に設定できる。前後幅も、例えば４５０〜６００ｍｍ程度の配意で任意に設定できる。
【００２５】
天板３の下面には、左右のレール部で前後動自在に支持された引出し５を設けている。図では、引出し５は天板３の左部分に配置しているが、右側の部分に配置したり、左右中間部に配置したりすることも可能である。複数の引出し５を左右に併設することも可能である。
【００２６】
テーブル本体１の脚４は、前後の脚支柱６を前後長手のサイド幕板７で連結した構造になっている。脚支柱６は板材製であり、平面視で左右長手の姿勢に配置されているが、下半部は、その内側面を傾斜させて、正面視で下窄まり形状になっている。なお、脚支柱６は、全高にわたって同一幅に設定してもよい。また、平面視正方形や円形とすることも可能である。
【００２７】
サイド幕板７は、前後脚支柱６の上半部でかつ外側部分に連結されており、サイド幕板７の外面と脚支柱６の外端面とは、ほぼ同一面を成している。従って、前後の脚支柱６とサイド幕板７とにより、平面視コ字形の形態が形成されている。このように構成すると、前後方向の外力に対してはサイド幕板７が抵抗として作用し、左右方向の外力に対しては脚支柱６が抵抗として作用するため、木製でありながら、堅牢な構造になっている。
【００２８】
左右の後部脚支柱６は、その上半部が左右長手の後ろ幕板８によって連結されている。後ろ幕板８とサイド幕板７とは同じ上下幅になっているが、互いの上下幅を異ならせることは可能である。
【００２９】
本実施形態では、手前の脚支柱６は天板３の前端に近接しているが、後ろの脚支柱６は、天板３の後端よりも手前に位置している。従って、天板３の後部は、脚４及び後ろ幕板８の後ろに大きくはみ出している（オーバーハングしている。）。勿論、天板３をオーバーハングさせずに、脚４を前後対称に形成してもよい。
【００３０】
テーブル本体１において、隣り合った構成部材は、図示しないファスナとダボとによって連結されている。ファスナは、ドライバで回転操作できるロータと、ロータの回転によって回転するロッドとから成っており、例えばサイド幕板７は天板３とを例に取ると、ロータは、サイド幕板７の外面に開口した円形穴に嵌まっており、サイド幕板７の面と直交した水平な軸心回りに回転する。他方、ロッドは上下長手の姿勢になっており、ロータを回転させると、カム作用により、天板３に設けた鬼目ナットに対して、ねじ込まれたりねじ戻されたりする。              
【００３１】
(2).補助装置の詳細
補助装置２は、平面視長方形の補助プレート９と、補助プレート９の一端寄り部位と他端より部位とに固定された２個のブラケット１０とで構成されている。補助プレート９は木製であり、ブラケット１０は金属製（鋼板製）である。補助プレート９の長さ寸法は、天板３の前後幅寸法と同じ寸法に設定されている。補助プレート９の幅寸法は任意に設定できるが、図示の形態では１６０ｍｍ程度になっている。ブラケット１０の高さは１２０ｍｍ程度に設定しているが、この寸法も任意に設定できる。
【００３２】
ブラケット１０は、水平長辺部１１と水平短辺部１２とこれらが繋がった第１及び第２の２本の縦長部１３，１４とを有しており、補助プレート９の長手方向に開口したフレーム構造になっている。そして、第１縦長部１３は真っ直ぐな形態であり、この第１縦長部１３と上下の１１，１２とは直角に繋がっている。一方、第２縦長部１４は、傾斜部１４ａを有して曲がっており、水平長辺部１１とは直角に繋がって、水平短辺部１２とは鈍角を成して繋がっている。
【００３３】
つまり、第２縦長部１４が傾斜部１４ａを有することにより、上下の水平部が長辺部１１と水平短辺部１２とに分かれている。第２縦長部１４は、水平長辺部１１に繋がった一部を除いて傾斜部１４ａになっており、従って、ブラケット１０は略台形になっているが、全体を傾斜させて完全な台形に形成することも可能である。
【００３４】
補助装置２は、図１に示すように、天板３の任意の部位に載せて机上台（或いは机上棚）として使用する状態と、図３に示すように、補助プレート９を天板３と同じ高さにして脚４の外側に配置した状態と、図４に示すように、補助プレート９を天板３よりも低い高さにして脚４の外側に配置した状態との３つの使用態様を選択できる。
【００３５】
図４の状態では、ブラケット１０は、水平長辺部１１を下にした状態でサイド幕板７に固定されており、補助プレート９は、水平長辺部１１の上面に固定されている。従って、補助プレート９の幅寸法を、前後縦長部１３，１４の間隔寸法よりも少し小さい寸法（同じ寸法でもよい）に設定して、補助プレート９をブラケット１０の内部に挿入している。補助プレート９を水平長辺部１１の下面に固定することも可能であるが、図示の形態では、補助プレート９は水平長辺部１１で下方から支持されているため、補助プレート９が水平長辺部１１から外れ落ちるようなことはない利点がある。
【００３６】
図３の使用態様は補助天板としての使用であり、図４の使用態様はサイド棚板としての使用態様である。机上台及び補助天板としての使用態様では、補助プレート９は水平短辺部１２に固定されており、サイド棚板としての使用態様では、補助プレート９は水平長辺部１１に固定されている。
【００３７】
そこで、図２に明示するように、ブラケット１０の水平部１１，１２には、補助プレート９を第１ビス１５で固定するための第１貫通穴１６が、平面視で重なるようにして形成されている。第１貫通穴１６は２個ずつ形成しているが、１個又は３個以上であってもよい。
【００３８】
ブラケット１０は第１ビス１５で補助プレート９に固定されるが、机上台としての使用態様と、補助天板としての使用態様と、サイド棚板としての使用態様との３つの使用態様において、ブラケット１０の取付け位置が相違している。そこで、補助プレート９の片面には、短辺寄りに位置した外側第１タップ穴１７と、その内側に位置した第１及び第２の内側タップ穴１８，１９を設けている。
【００３９】
ブラケット１０の第１縦長部１３には、第２ビス２１が挿通される上下２つの第２貫通穴２２が、上下対称に形成されている。他方、サイド幕板７には、請求項に記載した取付け穴の一例として、第２ビス２１が螺合する左右一対の第２タップ穴２３が形成されている。なお、各タップ穴１７〜１９，２３は鬼目ナットで構成されている。
【００４０】
(3).まとめ
各タップ穴１７〜１９，２３の配置関係は、図２に示すとおりである。すなわち、補助プレート９において、短辺から外側第１タップ穴１７まで間隔寸法をＬ１、１つの外側第１タップ穴１７とその反対側の内側タップ穴１８，１９との間隔をＬ２、サイド幕板７における手前の第２タップ穴２３と天板３の前端との間隔寸法をＬ３、サイド幕板７における前後第２タップ穴２３の奥行き方向の間隔（前後間隔）をＬ４とすると、Ｌ１＝Ｌ３，Ｌ２＝Ｌ４の関係になっている。
【００４１】
補助装置２を机上台として使用する場合は、ブラケット１０は外側第１タップ穴１７に固定される。これにより、補助プレート９は、安定した状態に保持されている。補助プレート９を補助天板として使用する場合は、ブラケット１０は、手前の外側第１タップ穴１７と、後ろ側の内側第２タップ穴１９とに固定される。これにより、補助プレート９は、前後両端を天板３の前後両端に揃えつつ、天板３と同じ高さに設定できる。
【００４２】
図２（Ｂ）及び図３（Ｂ）に示すように、サイド幕板７の外面は天板３の外端面よりも若干の寸法Ｅ１だけ内側に入り込んでいる。そこで、補助プレート９をブラケット１０の水平長辺部１１に固定した状態で、第１縦長部１３の外面と補助プレート９の端面との間に、Ｅ１と同じ寸法の間隔を空けている。
【００４３】
図３（Ｂ）に示すように、補助プレート９を補助天板として使用する状態で、前後のブラケット１０を利用して長尺物品２４を配置することもできる。また、図示していないが、ブラケット１０にフックを介して物品を吊り掛けることができる。或いは、衣類用ハンガーなども係止可能である。
【００４４】
図４のように補助プレート９をサイド棚板として使用する場合は、ブラケット１０は、水平長辺部１１を下にして水平短辺部１２を上にした姿勢でサイド幕板７に固定されており、補助プレート９は、水平長辺部１１の下面に固定されている。
【００４５】
図４の状態でも、ブラケット１０は、手前の外側第１タップ穴１７と、後ろ側の内側第１タップ穴１９とに固定される。但し、図３の状態と図４の状態とでは、補助プレート９は、前後位置と上下面の関係が逆になっている。すなわち、図４の状態では、図３の状態の補助プレート９を前後逆にして裏返して使用している。
【００４６】
なお、ブラケット１０と補助プレート９との取付け手順は、まず、ブラケット１０をサイド幕板７に固定してから、ブラケット１０に補助プレート９を固定してもよいし、先にブラケット１０を補助プレート９に固定してから、ブラケット１０をサイド幕板７に固定してもよい。
【００４７】
補助プレート９をサイド棚板として使用する状態で、ブラケット１０は前後に開口しているため、物品をブラケット１０に挿通して落下防止することができる。すなわち、ブラケット１０を物品の転び止め部材として利用できる。従って、賞状入れやリコーダーのような円形で細長い部材の場合は、重宝である。
【００４８】
図１のように、補助装置２を机上台として使用する場合、第２縦長部１４は傾斜部１４ａを有するため、物が第２縦長部１４に引っ掛かることを抑制できると共に、美観にも優れている。第２縦長部１４の傾斜部１４ａを利用して、スマートフォンなどを立て掛けることも可能である。サイド幕板７に設けた第２タップ穴２３を利用して、物品を掛けるフックを取り付けることも可能である。
【００４９】
上記の説明では、１つの補助装置２を使用したが、複数の補助装置２を使用することも可能である。複数の補助装置２を使用する場合、例えば、２つの補助装置をテーブル本体の左右に配置して補助天板として使用したり、一方は補助天板として使用して他方はサイド棚板として使用したりするなど、その使用態様は任意に設定できる。
【００５０】
テーブル本体は、図示した構造に限られず、様々に具体化できる。例えば、脚を１枚板状に形成することも可能である。また、補助装置は、サイド棚板としての使用状態で、補助プレートがブラケットの上面に固定されていてもよい。
【産業上の利用可能性】
【００５１】
本願発明は、テーブルに具体化できる。従って、産業上利用できる。
【符号の説明】
【００５２】
１  テーブル本体
２  補助装置
３  天板
４  脚
６  脚支柱
７  サイド幕板
９  補助プレート
１０  ブラケット
１１  水平長辺部
１２  水平短辺部
１３  第１縦長部
１４  第２縦長部
１５，２１  ビス
１６，２２  貫通穴
１７〜１９，２３  タップ穴
【図１】
2019187971.tif 000003
【図２】
2019187971.tif 000004
【図３】
2019187971.tif 000005
【図４】
2019187971.tif 000006